(57)【要約】【課題】液位検出用電極の検出結果に混入したノイズによってマイコンに誤動作が生じる虞がある。【解決手段】導電性液体２を通じて基準用電極Ｅと複数の液位検出用電極Ｅ１〜Ｅｎとのそれぞれの導通を検出し、この検出結果に基づいて、導電性液体の液位を判断する多電極用液面制御装置であって、基準用電極と液位検出用電極との導通を、所定時間差をおいて液位検出用電極毎に順次検出するトライアック部ＰＨＴと、トライアック部の検出結果を光変換することで光信号を発光する発光ダイオード１４Ａと、この発光ダイオードにて発光した光信号を受光し、この光信号を電気変換することで検出結果を得る受光トランジスタ１４Ｂと、この受光トランジスタにて得た検出結果に基づいて、導電性液体の液位を判断するマイコン１０とを有するようにした。【選択図】    図１
2004279109.tif 000002
【特許請求の範囲】
【請求項１】
導電性液体を通じて基準用電極と複数の液位検出用電極とのそれぞれの導通を検出し、この検出結果に基づいて、前記導電性液体の液位を判断する多電極用液位検出装置であって、
前記基準用電極と前記液位検出用電極との導通を、所定時間差をおいて液位検出用電極毎に順次検出する導通検出手段と、
前記導通検出手段の検出結果を光変換することで光信号を発光する発光手段と、
この発光手段にて発光した光信号を受光し、この光信号を電気変換することで検出結果を得る受光手段と、
この受光手段にて得た検出結果に基づいて、前記導電性液体の液位を判断する制御手段とを有することを特徴とする多電極用液位検出装置。
【請求項２】
前記発光手段は発光素子、前記受光手段は受光素子で構成することを特徴とする請求項１記載の多電極用液位検出装置。
【請求項３】
前記発光手段は、高感度タイプの発光素子、前記受光手段は高感度タイプの受光素子で構成することを特徴とする請求項１又は２記載の多電極用液位検出装置。
【発明の詳細な説明】
【０００１】
【発明の属する技術分野】
本発明は、例えばビルディングや集合住宅等における受水槽等の水位、液槽等の液位等を、液槽内の導電性液体を通じて複数電極間の導通を検出し、この検出結果に基づいて、前記導電性液体の液位を判断する多電極用液位検出装置に関する。
【０００２】
【従来の技術】
このような従来の多電極用液位検出装置としては、本出願人が様々な提案をしている（例えば特許文献１参照）。
【０００３】
この特許文献１によれば、導電性液体を通じて基準用電極と複数の液位検出用電極とのそれぞれの導通を検出し、この検出結果に基づいて、前記導電性液体の液位を判断する多電極用液位検出装置であって、前記基準用電極と前記液位検出用電極との導通を、所定時間差をおいて液位検出用電極毎に順次検出し、この検出結果を、ダイオードブリッジ型整流回路を通じてマイクロコンピュータ（以下、単にマイコンと称する）に通知するようにしている。
【０００４】
従って、この特許文献１によれば、基準用電極と液位検出用電極との導通を、所定時間差をおいて液位検出用電極毎に順次検出し、この検出結果を、ダイオードブリッジ型整流回路を通じてマイコンに通知するようにしたので、必要とする電源がマイコンの駆動用電源と、ダイオードブリッジ型整流回路に用いる電源との２つで済み、液位検出用電極の数を増やしたとしても、電源の数は増えることがない。
【０００５】
【特許文献１】
特開２００２−２０２１７６号公報（図１及び図２、段落番号「００３５」〜「００５０」参照）
【０００６】
【発明が解決しようとする課題】
しかしながら、上記従来の多電極用液位検出装置によれば、液位検出用電極及びダイオードブリッジ型整流回路間の伝送路を通じて検出結果をマイコンに通知するようにしたが、ダイオードブリッジ型整流回路及びマイコン間は電気的に接続されていることから、液位検出用電極及びダイオードブリッジ型整流回路間の伝送路で混入したノイズがダイオードブリッジ型整流回路を通じてマイコンに混入し、その結果、マイコンの誤動作が生じるおそれがある。
【０００７】
本発明は上記点に鑑みてなされたものであり、その目的とするところは、液位検出用電極の検出結果に混入したノイズによるマイコンの誤動作を確実に防止することができる多電極用液位検出装置を提供することにある。
【０００８】
【課題を解決するための手段】
上記目的を達成するために本発明の多電極用液位検出装置は、導電性液体を通じて基準用電極と複数の液位検出用電極とのそれぞれの導通を検出し、この検出結果に基づいて、前記導電性液体の液位を判断する多電極用液位検出装置であって、前記基準用電極と前記液位検出用電極との導通を、所定時間差をおいて液位検出用電極毎に順次検出する導通検出手段と、前記導通検出手段の検出結果を光変換することで光信号を発光する発光手段と、この発光手段にて発光した光信号を受光し、この光信号を電気変換することで検出結果を得る受光手段と、この受光手段にて得た検出結果に基づいて、前記導電性液体の液位を判断する制御手段とを有するようにした。
【０００９】
従って、本発明の多電極用液位検出装置によれば、前記基準用電極と前記液位検出用電極との導通を、所定時間差をおいて液位検出用電極毎に順次検出し、この検出結果を光変換することで光信号を発光し、この光信号を受光して電気変換することで検出結果を得て、この検出結果に基づいて、前記導電性液体の液位を判断するようにしたので、液位検出用電極及び制御手段間を電気的ではなく、光的に接続することで、液位検出用電極からのノイズの影響を受けることがなく、その結果、ノイズ影響による制御手段の誤動作を確実に防止することができる。
【００１０】
また、本発明の多電極用液位検出装置によれば、基準用電極と液位検出用電極との導通を所定時間差をおいて液位検出用電極毎に順次検出するようにしたので、これら電極に電圧印加する時間を最小限にすることで電極の電食を抑制し、さらには、液位検出用電極の数を増やしたとしても、一つの液位検出用電極毎に電圧を印加することから、その印加電圧容量も最小限に抑えることができ、ひいては装置全体の小型化を図ることができる。
【００１１】
本発明の多電極用液位検出装置は、前記発光手段が発光素子、前記受光手段が受光素子で構成するようにした。
【００１２】
従って、本発明の多電極用液位検出装置によれば、液位検出用電極及び制御手段間を発光素子及び受光素子で光的に接続するようにしたので、液位検出用電極からのノイズの影響を受けることなく、ノイズ影響による制御手段の誤動作を確実に防止することができる。
【００１３】
本発明の多電極用液位検出装置は、前記発光手段が、高感度タイプの発光素子、前記受光手段が高感度タイプの受光素子で構成するようにした。
【００１４】
従って、本発明の多電極用液位検出装置によれば、液位検出用電極及び制御手段間を高感度タイプの発光素子及び高感度タイプの受光素子で光的に接続するようにしたので、液位検出用電極からのノイズの影響を受けることなく、ノイズ影響による制御手段の誤動作を確実に防止することができることは勿論のこと、高感度タイプの発光素子は検出電流が少なくて済むことから、この検出電流を供給するトランスの二次側コイルの電圧及び電流も少なくて済み、その結果、トランスの小型化、ひいては装置全体のコストを低減することができる。
【００１５】
【発明の実施の形態】
以下、図面に基づいて本発明の多電極用液位検出装置に関わる実施の形態を示す多電極用液面制御装置について説明する。図１は本発明の実施の形態を示す多電極用液面制御装置内部の概略構成を示す説明図である。
【００１６】
液槽１内には導電性液体２が入れてあり、この導電性液体２の液面Ｆは排液により下降し、また、給液により上昇するものである。
【００１７】
そして、液槽１には電極保持器３により保持された多電極が挿入してある。すなわち、電極保持器３は、コモン（ＣＭ）側の電極棒である基準用電極Ｅと、第１、第２、第３・・・第ｎの液位検出用電極Ｅ１、Ｅ２、Ｅ３・・・Ｅｎとを所定の間隔をおいて保持している。そして、基準用電極Ｅ、第１の液位検出用電極Ｅ１、第２の液位検出用電極Ｅ２、第３の液位検出用電極Ｅ３・・・第ｎ液位検出用電極Ｅｎは、この順にその長さが順次短くしてある。
【００１８】
多電極用液面制御装置は、後述する制御信号に応じて、基準用電極Ｅと第１、第２、第３・・・第ｎの液位検出用電極Ｅ１、Ｅ２、Ｅ３・・・Ｅｎとの導通を、液位検出用電極毎に夫々検出する第１、第２、第３・・・第ｎのフォト・トライアックＰＨＴ１、ＰＨＴ２、ＰＨＴ３・・・ＰＨＴｎと、この液位検出用電極毎に検出した検出結果を光信号に変換して光出力する発光ダイオード１４Ａと、この発光ダイオード１４Ａにて発光した光信号を受光し、この光信号を電気変換して検出結果を得る受光トランジスタ１４Ｂと、発光ダイオード１４Ａの交流入力側に交流を出力するトランス１１と、所定時間差をおいて制御信号を各フォト・トライアックＰＨＴを順次出力すると共に、各フォト・トライアックＰＨＴを通じて順次検出した液位検出用電極毎の検出結果を取得し、この検出結果に基づいて液位を判断し、かつ外部機器を制御するマイコン１０と、マイコン１０が駆動するドライバー回路１２と、ドライバー回路１２により駆動される外部機器としての第１、第２、第３・・・第ｎの出力リレーＸ１、Ｘ２、Ｘ３、・・・Ｘｎとを備えている。
【００１９】
すなわち、トランス１１は、その接続端子部でＡＣ１００Ｖの電源（図示せず）に接続された一次コイル１１Ａと、マイコン１０の駆動用電源に利用される一方の二次コイル１１Ｂと、検出用電源となる他方の二次コイル１１Ｃとを有しており、一方の二次コイル１１Ｂは全波整流回路１３を通してマイコン１０の駆動電源（例えばＤＣ５Ｖ）を作成する電源回路２４に接続してある。
【００２０】
発光ダイオード１４Ａは、基準用電極Ｅと第１、第２、第３・・・第ｎの液位検出用電極Ｅ１、Ｅ２、Ｅ３・・・Ｅｎとの導通に関わる検出結果を、第１、第２、第３・・・第ｎのフォト・トライアックＰＨＴ１、ＰＨＴ２、ＰＨＴ３・・・ＰＨＴｎを通じて取得し、この検出結果を光変換して、この光信号を受光トランジスタ１４Ｂに光出力するものである。
【００２１】
受光トランジスタ１４Ｂは、発光ダイオード１４Ａからの光信号を受光し、この光信号を電気変換することで検出結果を取得し、この検出結果をマイコン１０に通知するものである。尚、これら発光ダイオード１４Ａ及び受光トランジスタ１４Ｂは、高感度タイプのフォトカプラで構成するものとする。
【００２２】
第１、第２、第３・・・第ｎのフォト・トライアックＰＨＴ１、ＰＨＴ２、ＰＨＴ３・・・ＰＨＴｎは、マイコン１０からの制御信号に応じて起動信号を出力する起動用発光ダイオード２１と、この起動用発光ダイオード２１からの起動信号に応じて、基準用電極Ｅと第１、第２、第３・・・第ｎの液位検出用電極Ｅ１、Ｅ２、Ｅ３・・・Ｅｎとの導通検出を起動（ＯＮ）するトライアック部２２とを有し、このトライアック部２３が起動することで、基準用電極Ｅと第１、第２、第３・・・第ｎの液位検出用電極Ｅ１、Ｅ２、Ｅ３・・・Ｅｎとの導通に関わる状態を検出するものである。尚、マイコン１０は、所定時間差をおいて各フォト・トライアックＰＨＴ（ＰＨＴ１，ＰＨＴ２，ＰＨＴ３・・・ＰＨＴｎ）内の起動用発光ダイオード２１に制御信号Ｐ（Ｐ１，Ｐ２，Ｐ３・・・Ｐｎ等）を順次出力するものである。
【００２３】
また、他方の二次コイル１１Ｃの（−）極側はコモン電極端子ＣＭ−１に接続してある。
【００２４】
コモン電極端子ＣＭ−１は、基準用電極Ｅに接続し、第１、第２、第３・・・第ｎの電極接続端子Ｅ１−１、Ｅ２−１、Ｅ３−１・・・Ｅｎ−１は、それぞれが対応する第１、第２、第３・・・第ｎの液位検出用電極Ｅ１、Ｅ２、Ｅ３・・・Ｅｎに接続するものである。
【００２５】
また、マイコン１０の第１、第２、第３・・・第ｎの信号出力端子部Ｓ１、Ｓ２、Ｓ３・・・Ｓｎは、それぞれが対応する第１、第２、第３・・・第ｎのフォト・トライアックＰＨＴ１、ＰＨＴ２、ＰＨＴ３・・・ＰＨＴｎの起動用発光ダイオード２２に接続してある。
【００２６】
また、マイコン１０の出力端子部Ｑ１、Ｑ２、Ｑ３・・・Ｑｎは、ドライバー回路１２を介して第１、第２、第３・・・第ｎの出力リレーＸ１、Ｘ２、Ｘ３・・・Ｘｎに駆動信号を出力するように接続してある。また、マイコン１０には発信回路１９とリセット回路２０とが接続してある。
【００２７】
尚、請求項記載の多電極用液位検出装置は多電極用液面制御装置、導通検出手段はフォト・トライアックＰＨＴ（ＰＨＴ１，ＰＨＴ２，ＰＨＴ３・・・ＰＨＴｎ）、発光手段は発光ダイオード１４Ａ、受光手段は受光トランジスタ１４Ｂ、制御手段はマイコン１０に相当するものである。
【００２８】
では、本実施の形態を示す多電極用液面制御装置の動作について説明する。図２は同多電極用液面制御装置の動作を示すタイムチャートである。尚、タイムチャートは４電極仕様のものである。したがって、多電極用液面制御装置の作動を４電極に限定して説明する。
【００２９】
液槽１内の導電性液体２の液面Ｆは昇降するものであり、例えば図２に示すように時間Ｔ１で第１の液位検出用電極Ｅ１まで液位が上昇し、時間Ｔ２で第２の液位検出用電極Ｅ２まで液位が上昇し、時間Ｔ３で第３の液位検出用電極Ｅ３まで液位が上昇し、時間Ｔ４で第４の液位検出用電極Ｅ４まで液位が上昇し、また、時間Ｔ５で第４の液位検出用電極Ｅ４まで液位が下降し、時間Ｔ６で第３の液位検出用電極Ｅ３まで液位が下降し、時間Ｔ７で第２の液位検出用電極Ｅ３まで液位が下降し、時間Ｔ８で第１の液位検出用電極Ｅ１まで液位が下降したものとする。
【００３０】
マイコン１０は、その第１、第２、第３、第４の信号出力端子部Ｓ１、Ｓ２、Ｓ３、Ｓ４から、それぞれが対応する第１、第２、第３、第４のフォト・トライアックＰＨＴ１、ＰＨＴ２、ＰＨＴ３、ＰＨＴ４の起動用発光ダイオード２２に所定時間差をおいて制御信号Ｐ１、Ｐ２、Ｐ３、Ｐ４を順次出力することで、第１、第２、第３、第４のフォト・トライアックＰＨＴ１、ＰＨＴ２、ＰＨＴ３、ＰＨＴ４を順次起動する。
【００３１】
この際、時間Ｔ１以前では、液体２の液面Ｆは第１の液位検出用電極Ｅ１には達していない。このために、基準用電極Ｅと第１の液位検出用電極Ｅ１との間、基準用電極Ｅと第２の液位検出用電極Ｅ２との間、基準用電極Ｅと第３の液位検出用電極Ｅ３との間、基準用電極Ｅと第４の液位検出用電極Ｅ４との間は、それぞれに導通していないことになる。
【００３２】
そこで、発光ダイオード１４Ａでは、これら第１、第２、第３、第４のフォト・トライアックＰＨＴ１、ＰＨＴ２、ＰＨＴ３、ＰＨＴ４の検出結果を取得すると、これら検出結果を受光トランジスタ１４Ｂに光伝送しないため、受光トランジスタ１４Ｂでは、発光ダイオード１４Ａからの光信号が得られないことから、その入力レベルＩＮはローレベルとなる。
【００３３】
マイコン１０は、受光トランジスタ１４Ｂから全てフォト・トライアックＰＨＴの検出結果がローレベルを検出すると、液位が第１の液位検出用電極Ｅ１まで達していないものと判断する。そして、マイコン１０はドライバー回路１２を駆動制御し、このドライバー回路１２は第１〜第４の出力リレーＸ１〜Ｘ４のいずれかに駆動信号を出力し、その出力リレーをオン作動して、例えばポンプを制御することになる。
【００３４】
また、図２に示すように時間Ｔ１では導電性液体２の液面Ｆは第１の液位検出用電極Ｅ１に達している。このために、基準電極Ｅと第１の液位検出用電極Ｅ１との間は導電性液体２を通じて導通するが、基準用電極Ｅと第２の液位検出用電極Ｅ２との間、基準用電極Ｅと第３の液位検出用電極Ｅ３との間、基準用電極Ｅと第４の液位検出用電極Ｅ４との間は、それぞれに導通していないことになる。
【００３５】
マイコン１０は、例えば時間Ｔ１直後のタイミングで、所定時間差をおいて制御信号を順次出力することで、前述したようにフォト・トライアックＰＨＴが順次起動することになる。
【００３６】
そこで、発光ダイオード１４Ａでは、第１フォト・トライアックＰＨＴ１を通じて、基準用電極Ｅと第１液位検出用電極Ｅ１とが導電しているとの検出結果を取得し、この検出結果を光変換することで、この光信号を受光トランジスタ１４Ｂに光伝送する。
【００３７】
また、発光ダイオード１４Ａでは、第２、第３、第４のフォト・トライアックＰＨＴ２、ＰＨＴ３、ＰＨＴ４を通じて、基準用電極Ｅと第２、第３、第４液位検出用電極Ｅ２，Ｅ３，Ｅ４とは導電していないとの検出結果を順次取得すると、これら検出結果については受光トランジスタ１４Ｂに光伝送しない。
【００３８】
そして、受光トランジスタ１４Ｂでは、第１フォト・トライアックＰＨＴ１の制御信号Ｐ１に対応した検出結果の光信号を受光すると、その入力レベルＩＮをハイレベルとする。また、受光トランジスタ１４Ｂでは、第２、第３、第４のフォト・トライアックＰＨＴ２、ＰＨＴ３、ＰＨＴ４の制御信号Ｐ２，Ｐ３，Ｐ４に対応した光信号が得られないことから、その入力レベルＩＮをローレベルとする。
【００３９】
そして、マイコン１０は、受光トランジスタ１４Ｂから第１フォト・トライアックＰＨＴ１の制御信号Ｐ１に対応した検出結果がハイレベル、第２、第３、第４のフォト・トライアックＰＨＴ２、ＰＨＴ３、ＰＨＴ４の制御信号Ｐ２，Ｐ３，Ｐ４に対応した検出結果がローレベルとなると、現在の液位が第１の液位検出用電極Ｅ１まで達しているものと判断する。そして、マイコン１０はドライバー回路１２を駆動制御し、このドライバー回路１２は第１の出力リレーＸ１に駆動信号を出力し、その出力リレーＸ１をオン作動して、例えばポンプを制御することになる。
【００４０】
また、図２に示すように時間Ｔ４では導電性液体２の液面Ｆは第４の液位検出用電極Ｅ４に達している。このために、基準用電極Ｅと第１の液位検出用電極Ｅ１との間、基準用電極Ｅと第２の液位検出用電極Ｅ２との間、基準用電極Ｅと第３の液位検出用電極Ｅ３との間、基準用電極Ｅと第４の液位検出用電極Ｅ４との間はそれぞれ導電性液体２を通じて導通することになる。
【００４１】
マイコン１０は、例えば時間Ｔ４直後のタイミングで、所定時間差をおいて制御信号を順次出力することで、前述したようにフォト・トライアックＰＨＴが順次起動することになる。
【００４２】
そこで、発光ダイオード１４Ａでは、第１フォト・トライアックＰＨＴ１を通じて、基準用電極Ｅと第１液位検出用電極Ｅ１とが導電しているとの検出結果を取得し、この検出結果を光変換することで、この光信号を受光トランジスタ１４Ｂに光伝送する。同様に、発光ダイオード１４Ａでは、第２、第３、第４フォト・トライアックＰＨＴ２、ＰＨＴ３、ＰＨＴ４を通じて、基準用電極Ｅと第２液位検出用電極Ｅ２，Ｅ３、Ｅ４とが導電しているとの検出結果を順次取得し、この検出結果を順次光変換することで、各光信号を受光トランジスタ１４Ｂに順次光伝送する。
【００４３】
受光トランジスタ１４Ｂでは、第１、第２、第３、第４のフォト・トライアックＰＨＴ１、ＰＨＴ２、ＰＨＴ３、ＰＨＴ４の制御信号Ｐ１、Ｐ２，Ｐ３，Ｐ４に対応した検出結果の光信号を順次受光すると、各制御信号Ｐ１，Ｐ２，Ｐ３，Ｐ４の検出結果の入力レベルＩＮがハイレベルとなる。
【００４４】
そして、マイコン１０は、受光トランジスタ１４Ｂから第１、第２、第３、第４のフォト・トライアックＰＨＴ１、ＰＨＴ２、ＰＨＴ３、ＰＨＴ４の制御信号Ｐ１、Ｐ２，Ｐ３，Ｐ４に対応した検出結果がハイレベルとなると、現在の液位が第４の液位検出用電極Ｅ４まで達しているものと判断する。そして、マイコン１０はドライバー回路１２を駆動制御し、このドライバー回路１２は第１〜第４の出力リレーＸ１〜Ｘ４の何れかに駆動信号を出力し、その出力リレーＸ１〜Ｘ４をオン作動して、例えばポンプを制御することになる。
【００４５】
また、図２に示すように時間Ｔ５で第４の液位検出用電極Ｅ４まで液位が下降し、時間Ｔ６で第３の液位検出用電極Ｅ３まで液位が下降し、時間Ｔ７で第２の液位検出用電極Ｅ３まで液位が下降し、時間Ｔ８で第１の液位検出用電極Ｅ１まで液位が下降した場合であるが、いずれの場合にも、上記した多電極用液面制御装置の動作により液位を判断することができる。
【００４６】
このように本実施の形態によれば、基準用電極Ｅと液位検出用電極（Ｅ１，Ｅ２，Ｅ３，Ｅ４）との導通を、所定時間差をおいて液位検出用電極毎に順次検出し、この検出結果を、発光ダイオード１４Ａを通じて光変換することで光信号を発光し、この光信号を、受光トランジスタ１４Ｂを通じて受光して電気変換することで検出結果を得て、この検出結果に基づいて、導電性液体２の液位を判断するようにしたので、液位検出用電極（Ｅ１、Ｅ２，Ｅ３，Ｅ４）及びマイコン１０間を電気的ではなく、光的に接続することで、液位検出用電極からのノイズの影響を受けることがなく、その結果、ノイズ影響によるマイコン１０の誤動作を確実に防止することができる。
【００４７】
また、本実施の形態によれば、基準用電極Ｅと液位検出用電極（Ｅ１，Ｅ２，Ｅ３，Ｅ４）との導通を、所定時間差をおいて液位検出用電極毎に順次検出するようにしたので、これら電極に電圧印加する時間を最小限にすることで電極の電食を抑制し、さらには、液位検出用電極の数を増やしたとしても、一つの液位検出用電極毎に電圧を印加することから、その印加電圧容量も最小限に抑えることができ、ひいては装置全体の小型化を図ることができる。
【００４８】
また、本実施の形態によれば、発光ダイオード１４Ａ及び受光トランジスタ１４Ｂを高感度タイプとしたので、発光ダイオード１４Ａは検出電流が高感度タイプでないものに比較して約１／１０程度、例えば１ｍＡ程度で済むことから、この検出電流を供給するトランス１１の二次コイル１１Ｃの巻き線が少なくて済み、その結果、トランスの小型化、ひいては装置全体のコストを低減することができる。
【００４９】
【発明の効果】
上記のように構成された本発明の多電極用液位検出装置によれば、前記基準用電極と前記液位検出用電極との導通を、所定時間差をおいて液位検出用電極毎に順次検出し、この検出結果を光変換することで光信号を発光し、この光信号を受光して電気変換することで検出結果を得て、この検出結果に基づいて、前記導電性液体の液位を判断するようにしたので、液位検出用電極及び制御手段間を電気的ではなく、光的に接続することで、液位検出用電極からのノイズの影響を受けることがなく、その結果、ノイズ影響による制御手段の誤動作を確実に防止することができる。
【００５０】
本発明の多電極用液位検出装置によれば、液位検出用電極及び制御手段間を高感度タイプの発光素子及び高感度タイプの受光素子で光的に接続するようにしたので、液位検出用電極からのノイズの影響を受けることなく、ノイズ影響による制御手段の誤動作を確実に防止することができることは勿論のこと、高感度タイプの発光素子は検出電流が少なくて済むことから、この検出電流を供給するトランスの二次側コイルの電圧及び電流も少なくて済み、その結果、トランスの小型化、ひいては装置全体のコストを低減することができる。
【図面の簡単な説明】
【図１】本発明の多電極用液位検出装置に関わる実施の形態を示す多電極用液面制御装置内部の概略構成を示すブロック図である。
【図２】同多電極用液面制御装置の動作を示すタイムチャートである。
【符号の説明】
２  導電性液体
１０  マイコン（制御手段）
１４Ａ  発光ダイオード（発光手段：発光素子）
１４Ｂ  受光トランジスタ（受光手段：受光素子）
Ｅ  基準用電極
Ｅ１〜Ｅｎ  液位検出用電極
ＰＨＴ（ＰＨＴ１〜ＰＨＴｎ）  フォト・トライアック（導通検出手段）
【図１】
2004279109.tif 000003
【図２】
2004279109.tif 000004